(57)【特許請求の範囲】
【請求項１】
衣類等の洗濯物を洗濯する洗濯機であって、
洗濯運転の総運転時間を短縮する手段を備えた短時間運転が可能な洗濯機において、
洗濯物を洗濯するための洗濯水として浴槽の残り湯を使用可能とするふろ水給水手段と、該ふろ水給水手段の運転を選択するためのふろ水選択スイッチとを備え、
前記ふろ水選択スイッチを操作し、ふろ水給水を選択して運転する場合は、運転時間が延長することを、ふろ水給水手段の運転開始以前に報知することを特徴とする洗濯機。
【請求項２】
衣類等の洗濯物を洗濯する洗濯機であって、
洗濯運転の総運転時間を短縮する手段を備えた短時間運転が可能な洗濯機において、
洗濯物を洗濯するための洗濯水として浴槽の残り湯を使用可能とするふろ水給水手段として、給水ポンプを接続可能に形成するとともに、該給水ポンプによるふろ水給水の運転を選択するためのふろ水選択スイッチを備え、
前記ふろ水選択スイッチを操作し、ふろ水給水を選択して運転する場合は、運転時間が延長することを、ふろ水給水手段の運転開始以前に報知することを特徴とする洗濯機。
【請求項３】
前記総運転時間を短縮する手段によって短縮された総運転時間を、操作部または表示部に総運転時間の時間数値を含む態様で運転コース名として表示された操作スイッチまたはコース表示をさらに備えることを特徴とする請求項１又は請求項２記載の洗濯機。
【請求項４】
前記時間数値は１１分未満であることを特徴とする請求項３に記載の洗濯機。
【発明の詳細な説明】
【０００１】
【発明の属する技術分野】
本発明は洗濯機に関し、特に短時間で効率良く洗濯し得る洗濯機に関するものである。
【０００２】
【従来の技術】
従来の洗濯機、例えば、全自動洗濯機において、スピードコースの名称で短時間運転を行うものは提案されているが、このものにおいては、通常運転の衣類の撹拌時間や脱水時間を短縮していたり、洗剤使用量を限定してすすぎ性能を確保するものであった。
【０００３】
上記のような全自動洗濯機におけるスピードコースの運転時間は通常運転時間の半分程度であり、また、スピードコースとしての運転時間を表示しているもの、ふろ水ポンプを使用して給水量能力が低下していたり、高層住宅で水道水の給水量能力が低い場合でも運転時間の修正は行われないものであった。
【０００４】
【発明が解決しようとする課題】
上記のような従来の洗濯機であれば、スピードコースの運転時間は工程運転時間の短縮や洗剤使用量の限定であったために、十分な洗濯性能が得られないばかりか、運転時間の大幅な短縮ができず、しかも、使用者が布量を多めに投入したり、汚れのひどい衣類を投入した場合でも、一定の洗濯工程に従って運転されるため、低い洗濯性能しか得られなかった。
【０００５】
また、布量が多い場合や汚れが多い場合に自動延長運転を行ったり、給水量能力が低くて通常より給水に多くの時間を必要する場合でも、運転時間表示を修正していなかったので、使用者にとっては運転時間表示から推定した時刻に運転が終わらず、不信感を募らせることがあり、特に、急ぎの洗濯に使用するスピードコースでは、使用者はより正確な運転時間表示を望んでいるのに、その要望に応じることができなかった。
【０００６】
そして、短時間コースがあっても、使用者には運転時間が何分なのかは、コースを設定した後やスタート後の運転時間表示を確認しなければならず、さらに、使用者が短時間運転を望んでいるような急ぎの場合での、コース選択スイッチにより短時間コースを設定してからスタートスイッチを押さなければならず、操作が煩わしいという問題があった。
【０００７】
【課題を解決するための手段】
本発明の洗濯機は上記のような問題点を解決したもので、従来のような工程運転時間の短縮ではなく、各工程の動作の並列同時進行により、洗濯性能を確保しながらより短時間である１１分未満の短時間運転を可能にするものであり、また、上記の延長運転や給水量能力が低い場合では運転時間表示を修正するので、使用者に的確な終了時刻を知らせることを可能とするものであり、そして、上記の短時間コースの運転時間をそのままコース名にすることにより使用者にコース選択を容易にさせると共に、さらに、そのコース名の専用スタートスイッチを設けることにより、コース選択を行うことなしに短時間コースの運転が開始できて、使用者に利便性をもたらすことを可能としたものである。
【０００８】
本発明は上記のような問題点を解決するために、請求項１記載の発明は、衣類等の洗濯物を洗濯する洗濯機であって、洗濯運転の総運転時間を短縮する手段を備えた短時間運転が可能な洗濯機において、洗濯物を洗濯するための洗濯水として浴槽の残り湯を使用可能とするふろ水給水手段と、該ふろ水給水手段の運転を選択するためのふろ水選択スイッチとを備え、前記ふろ水選択スイッチを操作し、ふろ水給水を選択して運転する場合は、運転時間が延長することを、ふろ水給水手段の運転開始以前に報知するものである。
【０００９】
また、請求項２記載の発明は、衣類等の洗濯物を洗濯する洗濯機であって、洗濯運転の総運転時間を短縮する手段を備えた短時間運転が可能な洗濯機において、洗濯物を洗濯するための洗濯水として浴槽の残り湯を使用可能とするふろ水給水手段として、給水ポンプを接続可能に形成するとともに、該給水ポンプによるふろ水給水の運転を選択するためのふろ水選択スイッチを備え、前記ふろ水選択スイッチを操作し、ふろ水給水を選択して運転する場合は、運転時間が延長することを、ふろ水給水手段の運転開始以前に報知するものである。
【００１０】
そして、請求項３記載の発明は、請求項１又は請求項２に記載の発明において、前記総運転時間を短縮する手段によって短縮された総運転時間を、操作部または表示部に総運転時間の時間数値を含む態様で運転コース名として表示された操作スイッチまたはコース表示をさらに備えるものである。
【００１１】
さらに、請求項４記載の発明は、請求項３に記載の発明において、前記時間数値を１１分未満とするものである。
【００１２】
【発明の実施の形態】
以下、本発明の洗濯機の実施の形態を全自動洗濯機に実施した場合について図面とともに説明する。
【００１３】
図１は本発明の洗濯機の実施の形態を示す概略構成図であり、図１において、１は外槽、２は水槽、３は洗濯槽と脱水槽を兼ねた洗濯脱水槽、４は布を撹拌するパルセータ、５は駆動モータ、６はパルセータ撹拌（低速）と洗濯脱水槽の回転による脱水（高速）を切り換える減速切換機構、７は減速切換クラッチ、８は駆動モータから減速切換機構６へ回転力を伝えるベルト、９は排水弁、１０は洗濯水の汚れを検知する汚れセンサ、１１は運転表示部、操作部、報知ブザー、制御回路等を備えた洗濯機全体を制御する制御部、１２は水槽２の水位を検知する水位センサ、１３は水道水の給水を行う給水弁、１４はふろ水を給水するふろ水ポンプ、１５は蓋の開閉を検知する蓋スイッチである。
【００１４】
次に、上記のように構成してなる洗濯機の全体の回路構成を図２とともに説明する。なお、図２において、図１で説明したセンサや負荷以外は制御部１１に含まれるものである。
【００１５】
図２において、１６は制御部に搭載のマイクロコンピュータ（以下、マイコンと呼ぶ）で、運転プログラムを書き込んだＲＯＭ１６ａ、データ書き込みメモリのＲＡＭ１６ｂ、中央演算処理装置のＣＰＵ１６ｃ、プログラムによってシーケンスを作るタイマ１６ｄ、入出力回路のＩ／Ｏ１６ｅで構成するものである。
【００１６】
入力回路１７はバッファ等にて構成される回路であり、電源を入り切りする電源スイッチ１８、運転の開始と一時停止を行うスタートスイッチ１９、水位を設定する水位選択スイッチ２０、洗いやすすぎや脱水の工程を選択する工程選択スイッチ２１、衣類や洗濯の種類を設定するコース洗濯スイッチ２２、水道水を使用しないでふろ水の残り湯の給水を選択するふろ水選択スイッチ２３からの信号が入力されるものである。
【００１７】
また、この全自動洗濯機では布量を検知して投入されている布量に適した水位に自動的に設定する布量検知回路２４を有しているが、検知方式としてパルセータ４を回転した時の衣類との接触摩擦によるモータ５の回転数変化を検知してマイコン１６で比較演算することにより検知するものである。
【００１８】
検知回路２５は前述のセンサや状態検知スイッチからの信号が入力される回路であり、高・中・低・少量等の水位を検知する水位センサ１２、洗濯物の布の量を検知する布量検知回路２４、洗い・濯ぎの際の洗濯水の汚れ度合を検知する汚れセンサ１０、蓋の開閉を検知する蓋スイッチ１５で各々検知された信号が入力される回路である。
【００１９】
表示回路２６は図３の操作表示部の各表示を行う表示素子を駆動するドライバー等にて構成する回路であり、水位表示部２７、工程表示部２８、コース表示部２９、ふろ水表示部３０、運転時間表示部３１を駆動するものであり、水位表示部２７は水位選択スイッチ２０の操作に対応した水位表示を高・中・低・少量等の表示で行うものであり、運転時間表示部３１は電源スイッチ１８を押した時、各選択スイッチ１９、２０、２１、２２、２３で設定されている運転時間を表示したり、スタートスイッチ１９で運転開始した後の布量検知により自動的に設定された運転時間を表示したり、運転中は運転終了までの残時間目安を表示したりするものである。
【００２０】
駆動回路３２は前述の各負荷の動作を制御するトライアックやその駆動を行う増幅器などで構成され、パルセータ４等を駆動するモータ５、洗濯脱水槽３への給水量を制御する給水弁１３、洗濯脱水槽３からの排水を制御する排水弁９、パルセータ４の減速切換えを行うクラッチ７、ふろ水の洗濯脱水槽３への給水を行うふろ水ポンプ１４を駆動するものである。
【００２１】
図３は本発明の洗濯機の操作表示部の説明図であり、図３において、電源を入り切りする電源スイッチ１８、運転の開始と一時停止を行うスタートスイッチ１９、水位を設定する水位選択スイッチ２０、洗いやすすぎや脱水の工程を選択する工程選択スイッチ２１、衣類や洗濯の種類を設定するコース洗濯スイッチ２２、水道水を使用しないでふろ水の残り湯の給水を選択するふろ水選択スイッチ２３よりなる操作部及び水位選択スイッチ２０の操作に対応した水位表示を高・中・低・少量等の表示で行う水位表示部２７、洗い・すすぎ・脱水工程の表示を行う工程表示部２８、標準・スピード・ウール・毛布のコース表示を行うコース表示部２９、ふろ水による洗いのみ・洗い／すすぎの表示を行うふろ水表示部３０、電源スイッチ１８を押した時、各選択スイッチ１９、２０、２１、２２、２３で設定されている運転時間の表示、スタートスイッチ１９で運転開始した後の布量検知により自動的に設定された運転時間の表示、運転中の運転終了までの残時間目安の表示、運転時間の変更による延長・短縮の表示、１０分運転中の表示を行う運転時間表示部３１よりなる表示部にて構成してなるものである。
【００２２】
次に、図４乃至図１６を中心にして本発明の洗濯機の実施の形態について詳細に説明する。なお、以下の説明においては、洗濯機の定格水量は３０リットル（Ｌ）であり、また、水道から洗濯機に給水される給水量は毎分２０リットル（Ｌ）として説明する。さらに、撹拌はパルセータ４を左方向の回転と右方向の回転を交互に繰り返して撹拌するものである。
【００２３】
本発明の洗濯機の第１の実施の形態は、図４のタイミングチャートに示すように、洗い工程、すすぎ工程等の少なくとも一つ以上の工程の給水動作中に衣類等の洗濯物を撹拌することにより、総運転時間に対する洗濯物の撹拌時間比率を高めて総運転時間を短縮するもので、給水動作と並行して衣類の撹拌を行うため、総運転時間のなかでの撹拌運転時間比率が高くなり、結果的に、より短時間のコースでも従来程度の撹拌時間が確保でき洗濯性能も確保できるものであり、しかも、その総運転時間短縮による総運転時間を運転時間表示部３１に運転初期段階で１１分未満として表示するものである。
【００２４】
図４に示すように、給水弁１３をオンして給水を開始し、給水開始３０秒後（給水量１０リットル（Ｌ））からモータ５をオンしてパルセータ４を回転させ、衣類等の洗濯物の撹拌を開始し、給水開始から１分３０秒経過後、定格水量の３０リットル（Ｌ）に達した時点で給水弁１３をオフして給水を停止するが、衣類等の洗濯物の撹拌は設定時間まで継続する。
【００２５】
上記の場合、撹拌時間は図５に示す従来の２．５分に比べて２分と短いが、洗剤量は３０リットル（Ｌ）の水量に適した濃度になるように投入されているので、実施の形態にあるように１０リットルからの撹拌、すなわち高濃度での洗浄撹拌を行っているので、撹拌時間が少し短くても洗浄性能は従来と比較しても十分確保できる。
【００２６】
尚、すすぎ工程でも同様な制御が可能なことは言うまでもない。また、上記従来の２．５分は図５の従来の洗い工程のタイミングチャートに示すように、運転開始から給水を開始して定格水量である３０リットルまで給水後、給水弁１３をオフし、設定時間まで衣類の撹拌を行う場合で、この場合の水道の給水量は毎分２０リットル（Ｌ）としている。
【００２７】
次に、本発明の洗濯機の第２の実施の形態について説明する。本発明の洗濯機の第２の実施の形態は図６のタイミングチャートに示すように、洗濯運転の中の複数の排水動作のうち少なくともひとつ以上の排水動作中に衣類等の洗濯物を撹拌する動作を行うことにより、総運転時間に対する洗濯物の撹拌時間比率を高めて総運転時間を短縮するもので、排水動作と並行して衣類の撹拌を行うため、総運転時間の中での撹拌運転時間比率が高くなり、結果的に、より短時間のコースでも従来程度の撹拌時間が確保でき洗濯性能も確保できるものであり、しかも、その総運転時間短縮による総運転時間を運転時間表示部３１に運転初期段階で１１分未満として表示するものである。
【００２８】
図６は排水工程を示しているが、従来のこの種のものは洗い終了と共に衣類等の洗濯物の撹拌を停止して排水弁９をオンして排水を行うが、この第２の実施の形態では排水を開始しても３０秒間の撹拌が継続されるため、洗い時は洗浄効果の向上、また、図中では記載していないが、すすぎ撹拌終了後の排水工程ではすすぎ性能の向上が期待でき、一層の短時間運転が可能となる。尚、ここでの排水能力は毎分３０リットル（Ｌ）としている。
【００２９】
次に、本発明の洗濯機の第３の実施の形態について説明する。本発明の洗濯機の第３の実施の形態は図７のタイミングチャートに示すように、洗濯運転の中の複数の排水動作のうち少なくともひとつ以上の排水動作中に給水を行い、洗剤濃度希釈能力を高めて総運転時間を短縮するもので、下部からの排水動作と並行して、上部から水道水の清水を衣類にかけて浸透させることにより、衣類に含まれる洗剤成分を希釈できるため、実際のすすぎ工程での撹拌時間が短縮できるものであり、しかも、その総運転時間短縮による総運転時間を運転時間表示部３１に運転初期段階で１１分未満として表示するものである。
【００３０】
図７は排水工程を示しているが、従来のこの種のものは前述の通り、洗い終了時点で撹拌を停止し排水動作のみを行うが、この第３の実施の形態では０．３分のみ排水と同時に給水を行い、衣類等の洗濯物の上部から水道水の清水をかけて、すすぎ性能を向上させ、一層の短時間運転が可能となる。
【００３１】
次に、本発明の洗濯機の第４の実施の形態について説明する。本発明の洗濯機の第４の実施の形態は図８のタイミングチャートに示すように、洗い工程やすすぎ工程の少なくともひとつ以上の工程の給水動作中に衣類等の撹拌を行うとともに、その給水中の衣類等の洗濯物の撹拌動作中において、水位が高くなるに従って衣類の撹拌水流を強くするように複数種類の水流を切り換えて総運転時間を短縮するもので、低い水位から強い水流で衣類の撹拌を開始すれば、衣類を傷める場合もあるので、水位の上昇に伴って水流を強くするものであり、しかも、その総運転時間短縮による総運転時間を運転時間表示部３１に運転初期段階で１１分未満として表示するものである。
【００３２】
この第４の実施の形態を示す図８は、上記第１の実施の形態を示す図５の変形の実施の形態である。
【００３３】
上記第１の実施の形態では、給水水量１０リットル（Ｌ）から撹拌を開始したが、衣類等の洗濯物が多い時は洗濯物が十分に水に浸かっていないため、強い撹拌を行うと洗濯物を傷める可能性があり、そのために、この第４の実施の形態では水量が少ない時は比較的弱めの水流で撹拌し、水量の増加とともに、水流を強くしていく撹拌制御を行うものである。上記の撹拌制御を行うことにより、給水撹拌を行っても衣類等の洗濯物を傷めず、且つ、撹拌時間を長くできるので短時間運転が可能となる。
【００３４】
上記の場合、第１の実施の形態と第２の実施の形態とを実施することにより図９に示すように従来方式のものに比較して３分（２３％）の運転時間短縮が可能となるものである。この際、図９の排水時間は従来と同等であるが、排水撹拌を行っているため、洗いやすすぎ性能は従来より大幅に向上している。尚、中間脱水や最終脱水は従来と同じにしている。
【００３５】
次に、図１０乃至図１４のフローチャートとともに本発明の洗濯機の第５乃至第８の実施の形態を説明する。従来のこの種の洗濯機においては、１１分未満の洗濯コースは短時間運転のため、一般に使用される衣類、布等の洗濯物の量を少なめに限定した範囲、および普通の汚れの洗濯物の洗濯で性能が確保されるようになっていたり、また、運転時間は製品ごとに予め設定されている給水能力での運転時間になっているので、洗濯物の量が極度に多かったり、汚れが極度にひどい場合は洗濯性能が不足したり、また、高層住宅などで水圧が低くて水道水の給水量が低下していたり、ふろ水ポンプを使用して給水量が低い場合は運転時間が表示時間より長くなり、使用者の使用性が悪くなる。
【００３６】
そこで、本発明の洗濯機の第５の実施の形態は、布量が多い場合に対応する運転についてであり、例えば、１１分未満表示の運転コースを行うにおいて、使用者が過度の衣類を洗濯槽に投入した場合は洗濯性能が低下することが考えられるので、布量検知回路２４の検知した布量が設定範囲を越えている際に、自動的に水位を高めに変更したり、工程運転時間を長めに変更することによる運転時間の延長を使用者に的確に知らしめる（布量が少ない場合は短縮運転も行う）ものであり、その運転状態について図１０に示すフローチャートとともに説明する。
【００３７】
本発明の第５の実施の形態の洗濯機は、まず、ステップＳ１で短時間運転を開始すると、ステップＳ２で前述の布（洗濯物）量検知回路２４によって洗濯脱水槽３に投入された衣類の量を検知し、ステップＳ３で布量が予め設定された以上か未満かを判定し、布量が予め設定された量未満の場合はステップＳ４で標準の短時間運転を続行する。
【００３８】
また、ステップＳ３で布量が予め設定された量以上と判定された場合は、ステップＳ５で撹拌時間を長めに変更したり、ステップＳ６で水位を高めに変更したり、ステップＳ７で脱水時間を延長したりし、ステップＳ８でそれらの運転時間に対応した時間に表示変更する。そして、ステップＳ９で表示部に延長を意味する表示を行うとともに、ステップＳ１０で延長運転を行う。
【００３９】
尚、ここでの説明は布量が設定量以上で変更する場合を説明したが、布量設定範囲より布量が少ない場合（短縮運転）も含めて、多段階に運転時間を修正する場合も同じである。
【００４０】
次に、本発明の洗濯機の第６の実施の形態について図１１に示すフローチャートとともに説明する。この第６の実施の形態は、洗濯物の汚れが多い場合に対応する運転であり、例えば、使用者が極度に汚れの多い衣類を洗濯槽に投入した場合は洗濯性能が低下することが考えられるので、汚れセンサ（検知手段）１０が設定範囲を越えた汚れを検知した際、自動的に工程運転時間を長めに変更することによる運転時間の延長を使用者に的確に知らしめる（汚れが少ない場合は短縮運転も行う）ものである。
【００４１】
まず、ステップＳ１で短時間運転を開始すると、ステップＳ２で給水を行い、ステップＳ３で設定水位に達した後予め設定された時間の撹拌を行い、ステップＳ４で洗濯水の汚れを検知する。この場合、上記の第１の実施の形態では給水しながら撹拌するので、給水中や給水完了後の汚れ検知も可能である。
【００４２】
そして、ステップＳ４で汚れが設定された値未満と判定された場合はステップＳ５で標準の短時間運転を続行し、ステップＳ４で汚れが設定された値以上と判定された場合は、ステップＳ６で撹拌時間を長めに変更し、ステップＳ７でそれらの運転時間に対応した時間を表示変更し、ステップＳ８で表示部に延長を意味する表示を行うとともに、ステップＳ９で延長運転を行うものである。この場合も、上記の第５の実施の形態と同様に、多段階の修正が行えることはいうまでもない。
【００４３】
次に、本発明の洗濯機の第７の実施の形態について図１２に示すフローチャートとともに説明する。この第７の実施の形態は、ふろ水給水をする場合に対応する運転であり、例えば、ふろ水ポンプを使用して浴槽の残り湯を給水する場合、一般的に水道水による給水より給水量能力が劣るため、ふろ水給水動作に必要な時間を水道水使用時より予め長めに設定しておき、その運転時間の延長を使用者に的確に知らしめるものである。
【００４４】
まず、ステップＳ１で短時間運転を開始すると、ステップＳ２でふろ水給水が選択されていないと判定された場合は、ステップＳ３で標準の短時間運転を続行し、また、ステップＳ２でふろ水給水が選択されていると判定された場合は、ステップＳ４で内蔵のふろ水ポンプ１４の給水能力に適した給水時間に変更され、ステップＳ５で運転時間に対応した表示に修正し、ステップＳ６で表示部に延長を意味する表示を行い、ステップＳ７で延長運転を行うものである。
【００４５】
尚、この場合は、ふろ水ポンプを使用しての給水量が低くなった場合であり、また、ここで、ふろ水ポンプを製品内に搭載していない場合で、外部の給水ポンプを使用する時であっても、一般的に給水ポンプは水道水給水と比較して給水能力が劣っているので、予め給水ポンプの給水能力を設定した延長時間予測も可能である。
【００４６】
次に、本発明の洗濯機の第８の実施の形態について図１３に示すフローチャートとともに説明する。この第８の実施の形態は、給水能力が設定された値と異なる場合に対応する運転であり、例えば、高層住宅などの水道水給水量能力が低い場合は給水に時間を要するため、給水量検知手段の検知した給水量に従って、運転時間表示を補正し、その運転時間を使用者に的確に知らしめるものである。
【００４７】
まず、ステップＳ１で短時間運転を開始すると、ステップＳ２で給水を行い、ステップＳ３で給水水位の変化量を水位センサ１２で検知したり給水完了までの給水時間より給水能力を検知し、このステップＳ３で上記と同様に給水能力が設定された能力とほぼ等しいと判定された場合は、ステップＳ４で標準の短時間運転を続行し、能力が低いと判定された場合はステップＳ９乃至ステップＳ１２で延長表示して運転し、また、能力が高いと判定された場合はステップＳ５乃至ステップＳ８で短縮表示して運転するものである。
【００４８】
尚、上記の第５乃至第８の実施の形態は、単独の条件変化のみに対応するのではなく、条件が重なる場合は組み合わせた内容で、延長や短縮運転可能なことは言うまでもない。また、図１４は表示部の実施の形態であり、延長運転の場合の延長表示を行い、運転時間表示部３１に標準の短時間運転時間の１０分に対して、延長後の時間１２分（ここでは２分延長）を表示しているものである。
【００４９】
次に、本発明の洗濯機の第９の実施の形態について図１５とともに説明する。
【００５０】
図１５の操作表示部は、従来のコース表示部にあるような短時間運転のコース名が『スピード』ではなく、『１０分』と言うように１１分未満の具体的な運転時間を示しているので、使用者が急ぎの洗濯をしたい場合などは、運転終了時刻が容易に予測でき、使用性の向上を図ることができる。また、上記のように延長運転になった場合でも運転時間表示部３１に、正確な運転時間が修正表示されるので、使用者が誤った判断をすることもない。
【００５１】
次に、本発明の洗濯機の第１０の実施の形態について図３とともに説明する。
【００５２】
この図３の操作表示部は、上記第９の実施の形態にあるようにコース名を『１０分』にするのではなく、１１分未満の運転コース専用のスタートスイッチ（例では『１０分スタート』）を設けて、短時間運転のスタートが使用者にとってより早くできるようにしたものである。
【００５３】
このことにより、図１５では１０分コースをスタートするには、『電源』、『コース』、『スタート』の順序でスイッチを最低３回押さなければならなかったが、この実施の形態では、『電源』と『１０分スタート』の２回の操作で短時間運転の開始が可能となり、使用者に大きな利便性を供与できる。
【００５４】
【発明の効果】
本発明の洗濯機は上記のような構成であるから、ふろ水給水動作に必要な時間を水道水使用時より長めに設定しておき、その運転時間の延長を、ふろ水給水手段の運転開始以前に使用者に的確に知らしめることができる。
【００５５】
また、コース名に具体的な運転時間を使用したことで、使用者の運転終了時刻予測が容易になったり、短時間運転コースのダイレクトスタートスイッチを設けることにより、使用者の操作回数が削減でき、特に急ぎの場合の操作性の大きな向上が期待できる。
【図面の簡単な説明】
【図１】本発明の洗濯機の実施の形態を示す概略構成図である。
【図２】本発明の洗濯機の実施の形態を示す全体の概略回路構成図である。
【図３】本発明の洗濯機の実施の形態を示す操作表示部の説明図である。
【図４】本発明の洗濯機の第１の実施の形態を示すタイミングチャートである。
【図５】本発明の洗濯機の第１の実施の形態に対応する従来の洗濯機の実施の形態を示すタイミングチャートである。
【図６】本発明の洗濯機の第２の実施の形態を示すタイミングチャートである。
【図７】本発明の洗濯機の第３の実施の形態を示すタイミングチャートである。
【図８】本発明の洗濯機の第４の実施の形態を示すタイミングチャートである。
【図９】本発明の実施の形態と従来での運転時間比較説明図である。
【図１０】本発明の洗濯機の第５の実施の形態を示すフローチャートである。
【図１１】本発明の洗濯機の第６の実施の形態を示すフローチャートである。
【図１２】本発明の洗濯機の第７の実施の形態を示すフローチャートである。
【図１３】本発明の洗濯機の第８の実施の形態を示すフローチャートである。
【図１４】本発明の洗濯機の実施の形態を示す操作表示部の説明図である。
【図１５】本発明の洗濯機の第９の実施の形態を示す操作表示部の説明図である。
【符号の説明】
１０  汚れセンサ
１２  水位センサ
１４  ふろ水ポンプ
１９  スタートスイッチ
２４  布量検知回路
２８  工程表示部
３１  運転時間表示部
【図１】
0003662224.tif 000002
【図２】
0003662224.tif 000003
【図３】
0003662224.tif 000004
【図４】
0003662224.tif 000005
【図５】
0003662224.tif 000006
【図６】
0003662224.tif 000007
【図７】
0003662224.tif 000008
【図８】
0003662224.tif 000009
【図９】
0003662224.tif 000010
【図１０】
0003662224.tif 000011
【図１１】
0003662224.tif 000012
【図１２】
0003662224.tif 000013
【図１３】
0003662224.tif 000014
【図１４】
0003662224.tif 000015
【図１５】
0003662224.tif 000016